(57)【特許請求の範囲】
【請求項１】
位置情報を記憶するＩＣ回路部と当該ＩＣ回路部に接続され情報の送受信を行うタグ側アンテナとを備える無線タグ回路素子を配置したタグラベルと、
前記タグ側アンテナを介して前記無線タグ回路素子のＩＣ回路部との間で無線通信により情報の送受信を行う装置側アンテナを備え、前記無線タグ回路素子のＩＣ回路部から前記位置情報を読み取る情報読取装置と、
前記情報読取装置によって読み取られた前記位置情報に基づく地点に関する地図情報とともに、前記地点についての関連情報を提供する情報提供サーバと、を備え、
前記情報提供サーバは、
前記地図情報に関する各パラメータの組み合わせに対応させて複数の関連情報を管理する関連情報管理手段と、
前記関連情報管理手段から、前記複数の関連情報のうち指定された各パラメータの組み合わせに対応する関連情報を選択して提供する情報提供手段と、を備え、
複数の前記タグラベルには、それぞれ、前記位置情報とともに前記地図情報に関する少なくとも１つのパラメータを記憶する無線タグ回路素子が配置されており、
前記情報提供手段は、
前記関連情報管理手段から、前記位置情報に基づく地点に関する複数の関連情報のうち、前記複数のタグラベルに各々配置された各前記無線タグ回路素子から読み出された各パラメータの組み合わせに対応する関連情報を選択して提供する
ことを特徴とする情報提供システム。
【請求項２】
請求項１記載の情報提供システムにおいて、
前記情報提供手段は、
前記関連情報管理手段から、前記位置情報に基づく地点に関する複数の関連情報のうち、前記複数のタグラベルに各々配置された各前記無線タグ回路素子から読み出された各パラメータの組み合わせに対応する関連情報のみを選択して提供する
ことを特徴とする情報提供システム。
【請求項３】
請求項１又は請求項２記載の情報提供システムにおいて、
前記パラメータは、
前記関連情報の種別を表す種別情報と、
前記地図情報の表示形式を表す表示形式情報と、を備え、
前記情報提供サーバは、
指定された前記表示形式情報に基づいて前記地図情報を提供する
ことを特徴とする情報提供システム。
【請求項４】
請求項１記載の情報提供システムにおいて、
前記情報提供サーバは、
前記情報読取装置によって前記無線タグ回路素子から読み出された第１位置情報と、前記第１位置情報とは異なる位置を示す第２位置情報とに基づいて、前記第１位置情報と前記第２位置情報との２地点間のルート計算を行い、前記計算結果であるルートを提供する
ことを特徴とする情報提供システム。
【請求項５】
請求項１記載の情報提供システムにおいて、
前記情報提供サーバによって提供された情報を表示する表示端末を有し、
少なくとも１台の前記情報提供サーバは、
少なくとも前記位置情報に基づく地点に関する地図情報を表示するための第１表示手段と、
前記第１表示手段とは異なる形式の地図情報を表示するための第２表示手段とを提供し、
前記表示端末は、
少なくとも１台の前記情報提供サーバから提供された情報に基づいて前記第１表示手段に表示した前記地図情報及び前記第２表示手段に表示した前記地図情報を表示する
ことを特徴とする情報提供システム。
【請求項６】
請求項５記載の情報提供システムにおいて、
前記表示端末は、
前記第１表示手段に表示した地図情報と前記第２表示手段に表示した前記地図情報とを同時に表示する
ことを特徴とする情報提供システム。
【請求項７】
請求項５記載の情報提供システムにおいて、
前記情報提供サーバは、
前記表示端末に、測位した移動体の現在地から前記位置情報に基づく地点までの地図情報を表示させた後、測位した前記移動体の現在地が前記位置情報に基づく地点に近接したことを契機として、前記位置情報に基づく地点の周囲を拡大した詳細地図情報を表示させる
ことを特徴とする情報提供システム。
【請求項８】
請求項１乃至請求項７の何れか１項記載の情報提供システムにおいて、
前記位置情報を受け取る位置情報受取手段と、前記装置側アンテナを介して無線通信により情報の送受信を行うことで前記位置情報受取手段で受け取った前記位置情報を前記無線タグ回路素子のＩＣ回路部に書き込む情報書込手段と、を有するタグリーダライタ装置と、
を有することを特徴とする情報提供システム。
【請求項９】
請求項１乃至請求項７の何れか１項記載の情報提供システムにおいて、
前記無線タグ回路素子のＩＣ回路部及び前記タグ側アンテナを備える前記タグラベルに対して、位置情報受取手段によって地図情報上において選択された所望の地点に関する位置情報を受け取るとともに、前記装置側アンテナを介して無線通信により情報の送受信を行うことで前記位置情報受取手段で受け取った前記位置情報を前記無線タグ回路素子のＩＣ回路部に書き込む情報書込手段を有するタグラベル作成装置と、
を有することを特徴とする情報提供システム。
【請求項１０】
請求項９記載の情報提供システムにおいて、
前記タグラベル作成装置は、
前記タグラベルに、前記位置情報に関する情報を印刷する印刷手段を有する
ことを特徴とする情報提供システム。
【発明の詳細な説明】
【技術分野】
【０００１】
本発明は、位置情報に基づく地図情報を提供する情報提供システムに関する。
【背景技術】
【０００２】
従来のカーナビゲーション装置は、例えばスタート地点から少なくとも１つの目的地までの走行ルートを計算する機能を有する。従来のカーナビゲーション装置は、所定のチップカードが挿入可能なチップカードリーダを有するものが存在している（例えば、特許文献１参照）。
【０００３】
このようなチップカードには、少なくとも１つの目的地を入力するための入力ユニットが接続可能であるか又はそのような入力ユニットが接続されている。この従来のナビゲーション装置によれば、このような入力ユニットを介して所望の目的地を簡単に入力し、内蔵する地図情報に基づいてその目的地までの走行ルートを含む地図情報を表示させることができる。
【０００４】
【特許文献１】特表２００２−５３０６６５号公報（段落００３１，図２）
【発明の開示】
【発明が解決しようとする課題】
【０００５】
従来のカーナビゲーション装置では、このような入力ユニットを介して所望の目的地を簡単に入力することができるものの、結局のところ自ら地図情報自体を内蔵していなければ地図情報を表示することができなかった。しかも、従来のカーナビゲーション装置では、そのような目的地や走行ルートに関する地図情報を表示することができるものの、表示することができるのは自ら内蔵する地図情報の範囲内であり、より様々な情報が提供されることが望まれていた。
【０００６】
本発明の目的は、自ら地図情報を有していなくても簡単に、ある位置情報に基づく地点に関する地図情報を参照することができる情報提供システムを提供することにある。
【課題を解決するための手段】
【０００７】
上記目的を達成するために、第１発明は、位置情報を記憶するＩＣ回路部と当該ＩＣ回路部に接続され情報の送受信を行うタグ側アンテナとを備える無線タグ回路素子を配置したタグラベルと、前記タグ側アンテナを介して前記無線タグ回路素子のＩＣ回路部との間で無線通信により情報の送受信を行うアンテナを備え、前記無線タグ回路素子のＩＣ回路部から前記位置情報を読み取る情報読取装置と、前記情報読取装置によって読み取られた前記位置情報に基づく地点に関する地図情報とともに、前記地点についての関連情報を提供する情報提供サーバと、を有している。
【０００８】
これにより、情報提供サーバが各地点について有用な関連情報を用意しておけば、ユーザは、タグラベルを所持していれば自ら地図情報を有していなくても、次のようにして地図情報や有用な関連情報を参照することができる。すなわちユーザは、情報読取装置に、タグラベルの無線タグ回路素子から位置情報を読み取らせると、情報提供サーバから、簡単に、その位置情報に基づく地点に関する地図情報のみならず、この地点に関する有用な関連情報も参照することができる。
【０００９】
ここで、前記無線タグ回路素子は、前記位置情報として経度及び緯度を記憶している。
【００１０】
これにより、ユーザは、情報読取装置に、タグラベルの無線タグ回路素子から位置情報として緯度及び経度を読み取らせるだけで、簡単に、それら緯度及び経度に基づく地点に関する地図情報を参照することができるばかりでなく、この地点に関する有用な関連情報も参照することができる。地球上の一地点を決めることができる緯度経度情報であるため、異なる情報提供サーバを利用しても同じタグラベルで同じ場所の地図を表示することができる。
【００１１】
また、第１発明では、前記情報提供サーバは、前記地図情報に関する各パラメータの組み合わせに対応させて複数の関連情報を管理する関連情報管理手段と、前記関連情報管理手段から、前記複数の関連情報のうち指定された各パラメータの組み合わせに対応する関連情報を選択して提供する情報提供手段とを備える。
【００１２】
これにより、ユーザは、無線タグ回路素子の位置情報に基づく地点についての複数の関連情報のうち、特定のパラメータの組み合わせに対応させた関連情報のみを参照することができる。このためユーザは、この地点についての不要な関連情報を参照する必要がなく、特定のパラメータの組み合わせに対応する関連情報のみを参照することができる。
【００１３】
さらに、第１発明では、複数の前記タグラベルには、それぞれ、前記位置情報とともに前記地図情報に関する少なくとも１つのパラメータを記憶する無線タグ回路素子が配置されており、前記情報提供手段は、前記関連情報管理手段から、前記位置情報に基づく地点に関する複数の関連情報のうち、前記複数のタグラベルに各々配置された各前記無線タグ回路素子から読み出された各パラメータの組み合わせに対応する関連情報のみを選択して提供する。ここで、第２発明においては、前記情報提供手段は、前記関連情報管理手段から、前記位置情報に基づく地点に関する複数の関連情報のうち、前記複数のタグラベルに各々配置された各前記無線タグ回路素子から読み出された各パラメータの組み合わせに対応する関連情報のみを選択して提供する。
【００１４】
これにより、情報提供サーバは、情報提供手段が、関連情報管理手段から、複数のタグラベルの無線タグ回路素子に各々記憶されている各パラメータの組み合わせに対応した特定の関連情報をユーザに対して提供することができる。このようにすると、ユーザは、不要な関連情報をわざわざ参照する必要がなく、この特定の関連情報を集中的に参照することができる。
【００１５】
第３発明は、上記第１発明又は第２発明において、前記パラメータは、前記関連情報の種別を表す種別情報と、前記地図情報の表示形式を表す表示形式情報と、を備え、前記情報提供サーバは、指定された前記表示形式情報に基づいて前記地図情報を提供することを特徴とする。
【００１６】
これにより、ユーザは、無線タグ回路素子の位置情報に基づく地点についての複数の関連情報のうち、特定の種別情報の組み合わせに対応させた関連情報のみを参照することができる。このためユーザは、この地点についての不要な関連情報を参照する必要がなく、特定の種別情報の組み合わせに対応する関連情報のみを参照することができる。また、各ユーザが必要に応じて見やすい表示形式を指定して表示することができる。
【００１９】
第４発明は、上記第１発明において、前記情報提供サーバは、前記情報読取装置によって前記無線タグ回路素子から読み出された第１位置情報と、前記第１位置情報とは異なる位置を示す第２位置情報とに基づいて、前記第１位置情報と前記第２位置情報との２地点間のルート計算を行い、前記計算結果であるルートを提供することを特徴とする。
【００２０】
これにより、ユーザは、第１位置情報と第２位置情報との間の道順が分かって便利な情報を得ることができる。
【００２１】
第５発明は、上記第１発明において、前記情報提供サーバによって提供された情報を表示する表示端末を有し、少なくとも１台の前記情報提供サーバは、少なくとも前記位置情報に基づく地点に関する地図情報を表示するための第１表示手段と、前記第１表示手段とは異なる形式の地図情報を表示するための第２表示手段とを提供し、前記表示端末は、少なくとも１台の前記情報提供サーバから提供された情報に基づいて前記第１表示手段及び前記第２表示手段を表示することを特徴とする。
【００２２】
これにより、ユーザは、表示手段に表示された地図情報と、詳細情報表示手段に表示された詳細情報とを、各々必要に応じて独立して参照することができる。表示端末は、少なくとも１台の情報提供サーバ、例えば同じ情報提供サーバからだけでなく、異なる情報提供サーバから提供された情報に基づいて、第１表示手段及び第２表示手段をともに表示可能となる。
【００２３】
第６発明は、上記第５発明において、前記表示端末は、前記第１表示手段と前記第２表示手段とを同時に表示することを特徴とする。
【００２４】
これにより、表示端末は、第１表示手段として広域地図と第２表示手段として施設内の詳細地図とを同時に表示することで、道案内の説明などを分かり易くすることができる。その他にも、第１表示手段として一方を広域地図などでのルート表示にし、第２表示手段としてもう一方を実際の建物が見える拡大航空写真や歩行者視点の３Ｄ地図の表示にすることで、これらを並べて表示して道案内をより分かり易くすることができる。
【００２５】
第７発明は、上記第５発明において、前記情報提供サーバは、前記表示端末に、測位した移動体の現在地から前記位置情報に基づく地点までの地図情報を表示させた後、測位した前記移動体の現在地が前記位置情報に基づく地点に近接したことを契機として、前記位置情報に基づく地点の周囲を拡大した詳細地図情報を表示させることを特徴とする。
【００２６】
これにより、ユーザは、自らの現在地が位置情報に基づく地点までの距離がある程度遠い場合には、その現在地からその地点までの地図情報を表示端末で確認できる。しかも、ユーザは、自らの現在地がその地点に近接した場合には、その地点の周囲を拡大した詳細地図情報を表示端末で確認することができる。従ってユーザは、どこにいてもその地点までの経路を容易に把握し到着することができる。
【００２７】
第８発明は、第１発明乃至第７発明の何れかに記載の情報提供システムにおいて、前記位置情報を受け取る位置情報受取手段と、前記装置側アンテナを介して無線通信により情報の送受信を行うことで前記位置情報受取手段で受け取った前記位置情報を前記無線タグ回路素子のＩＣ回路部に書き込む情報書込手段と、を有するタグリーダライタ装置と、を有することを特徴とする。
【００２８】
これにより、ユーザは、タグリーダライタ装置を用いて、位置情報をＩＣ回路部に記憶させた無線タグ回路素子を配置したタグラベルを容易に作成できるため、このように作成したタグラベルを気軽に配布することができる。またこの場合、表示面への情報印刷はできないが、すでに持っているタグラベルに記憶されている位置情報を書き換えることで、タグラベルを再利用することもできる。
【００２９】
第９発明は、第１発明乃至第７発明の何れかに記載の情報提供システムにおいて、前記無線タグ回路素子のＩＣ回路部及び前記タグ側アンテナを備える前記タグラベルに対して、位置情報受取手段によって地図情報上において選択された所望の地点に関する位置情報を受け取るとともに、前記装置側アンテナを介して無線通信により情報の送受信を行うことで前記位置情報受取手段で受け取った前記位置情報を前記無線タグ回路素子のＩＣ回路部に書き込む情報書込手段を有するタグラベル作成装置と、を有することを特徴とする。
【００３０】
これにより、ユーザは、タグラベル作成装置を用いて、位置情報をＩＣ回路部に記憶させた無線タグ回路素子を配置したタグラベルを容易に作成できるため、このように作成したタグラベルを気軽に配布することができる。しかも、例えば所定の情報提供サーバに、この位置情報に基づく地点に関する有用な関連情報を用意しておけば、ユーザは、この作成したタグラベルを受け取った他のユーザに対して、簡単な操作を経て、この有用な関連情報を参照させることができる。
【００３１】
第１０発明は、上記第９発明において、前記タグラベル作成装置は、前記タグラベルに、前記位置情報に関する情報を印刷する印刷手段を有することを特徴とする。
【００３２】
これにより、ユーザは、所持しているタグラベルに記憶されている位置情報を視覚的に認識することができ、特に複数のタグラベルを所持している場合にこれらを整理しやすくなる。
【発明の効果】
【００３３】
本発明によれば、自ら地図情報を有していなくても簡単に、ある位置情報に基づく地点に関する地図情報及びこれに関する関連情報を参照することができる。
【発明を実施するための最良の形態】
【００３４】
以下、本発明の一実施の形態を図面を参照しつつ説明する。
＜第１実施形態＞
図１は、第１実施形態における情報提供システム２００の構成例を示すシステム構成図である。
【００３５】
情報提供システム２００は、情報提供サーバ１００、表示端末１、リーダ３、タグラベルＴ及びインターネット７を有する。この情報提供システム２００では、情報提供サーバ１００及び表示端末１がインターネット７に接続されている。この表示端末１には、例えばＵＳＢ（Ｕｎｉｖｅｒｓａｌ  Ｓｅｒｉａｌ  Ｂｕｓ）規格の配線によってリーダ３が接続されている。
【００３６】
タグラベルＴは、位置情報を記憶するＩＣ回路部と当該ＩＣ回路部に接続され情報の送受信を行うタグ側アンテナと備える無線タグ回路素子Ｔoを配置したラベル状の部材である。このタグラベルＴは、後述するリーダ３（情報読取装置に相当）、タグラベル作成装置４及びタグリーダライタ装置のいずれかからの電波を電力として動作するＩＣチップを搭載している。
【００３７】
タグラベルＴには固有のチップＩＤが内蔵されている。このＩＤは、ヘッダ、企業コード、製品コード及びシリアル番号などといった範囲が区切られており、例えば製品コード部分の違いにより、例えば場所タグや物タグといったタグラベルＴを互いに識別することができる。このタグラベルＴの無線タグ回路素子Ｔoは、上述した位置情報として経度及び緯度を記憶している。また、このタグラベルＴには、上述した位置情報に関する情報が印刷されていてもよい。
【００３８】
リーダ３は、図示しないタグ側アンテナを介して上記無線タグ回路素子ＴoのＩＣ回路部との間で無線通信により情報の送受信を行うアンテナを備え、上述した無線タグ回路素子ＴoのＩＣ回路部から上記位置情報を読み取る機能を有する（情報読取装置に相当）。情報提供サーバ１００は、上述したリーダ３によって読み取られた上記位置情報に基づく地点に関する地図情報とともに、その地点についての関連情報を提供する機能を有する。
【００３９】
この情報提供サーバ１００は、例えば地図情報として、インターネット７上において誰でも共用することができる地図情報Ｗｅｂサービスに相当する。この情報提供サーバ１００は、上述のようなＷｅｂサービスを提供し、このＷｅｂサービスは、インターネット７上において仕様を公開して誰もがアプリケーションとして利用できるサービスを表している。
【００４０】
このようなＷｅｂサービスの有名なものとしては、例えばＹＡＨＯＯ！（登録商標）、Ｇｏｏｇｌｅ（登録商標）、Ｍｉｃｒｏｓｏｆｔ（登録商標）などが提供するサイト検索、地図情報、画像検索などのシステムが存在している。これら既存の有名な地図Ｗｅｂサービスにおいては、例えばＹＡＨＯＯ！（登録商標）地図では、地図表示、周辺の施設・駅情報を取得することを挙げることができる。
【００４１】
また、Ｍｉｃｒｏｓｏｆｔ（登録商標）社のＶｉｒｔｕａｌ  Ｅａｒｔｈ（登録商標）では、例えば地図表示、２地点の道路ナビゲーション情報を提供している。また、Ｇｏｏｇｌｅ  Ｍａｐｓでは地図表示サービスを提供している。
【００４２】
表示端末１は、リーダ３を用いて、例えば目的地の位置情報を記憶したタグラベルＴの位置情報を読み込ませ、その目的地までの地図情報や、関連情報として案内情報や周辺情報などを表示する機能を有する。
【００４３】
図２は、図１に示す情報提供サーバ１００の構成例を示すソフトウエア構成図である。情報提供サーバ１００は、情報提供部１１及びデータベース１３を有する。このデータベース１３は、関連情報テーブル１５及び地図情報テーブル１７を備えている。
【００４４】
地図情報テーブル１７は、例えば緯度及び経度を含む位置情報に対応させて地図情報を管理している。つまり、この地図情報テーブル１７は、このような緯度及び経度を指定した検索があると、これら緯度及び経度に対応した地図情報を提供する機能を有する。
【００４５】
上述した関連情報テーブル１５は関連情報管理手段に相当し、上述した地図情報に関する各パラメータの組み合わせに対応させて複数の関連情報を管理する機能を有する。ここで、各パラメータとしては、例えば施設名、駅名、住所、郵便番号、店のクーポン、施設・店の種類などを挙げることができる。このうち施設名は目印に用いられ、駅名は移動手段を考慮する場合に用いられ、住所及び郵便番号は手紙などを出す場合に用いられ、店のクーポンは得な情報として用いられ、施設・店の種類はホテルや食事場所などを探し出す場合に用いられる。また、この関連情報テーブル１５は、特定の種別の組み合わせに対応させた関連情報を管理しており、このような特定の種別の組み合わせに対応させた関連情報を提供することもできる。
【００４６】
一方、情報提供部１１は情報提供手段に相当し、上述した関連情報テーブル１５から、上述した複数の関連情報のうち指定された各パラメータの組み合わせに対応する関連情報を選択して提供する機能を有する。
【００４７】
ここで、本実施形態では、複数のタグラベルＴには、それぞれ、上記位置情報とともに上記地図情報に関する少なくとも１つのパラメータを記憶する無線タグ回路素子Ｔoが配置されている。
【００４８】
この情報提供部１１は、関連情報テーブル１５から、その位置情報に基づく地点に関する複数の関連情報のうち、それら複数のタグラベルＴに各々配置された各無線タグ回路素子Ｔoから各々読み出された各パラメータの組み合わせに対応する関連情報のみを選択して提供する機能を有していてもよい。
【００４９】
上述したパラメータは、地図情報の表示形式を表す表示形式情報を備えており、情報提供サーバ１００の情報提供部１１は、指定された表示形式情報に基づいて地図情報を提供する。この表示形式情報は、例えば地図、航空写真、地図と写真の混合、路線図、３Ｄ地図、海図、航空図などのいずれかを表している。
【００５０】
図３は、図１に示す表示端末１の機能的な構成例を示すブロック図である。
この表示端末１は、通信部２２、リーダ制御部２１、地図情報問合部２４及び表示制御部２３を有する。
【００５１】
リーダ制御部２１は、例えば上述のようにＵＳＢ規格に沿って接続されたリーダ３の動作を制御する機能を有する。このリーダ制御部２１は、タグラベルＴの無線タグ回路素子Ｔoとの間で情報の送受信を行い、例えば無線タグ回路素子Ｔoに記憶されている位置情報を読み出す機能を有する。通信部２２は、表示端末１が接続されているインターネット７との間で通信を行う機能を有する。
【００５２】
地図情報問合部２４は、タグラベルＴから読み出された位置情報に基づいて、通信部２２に、インターネット７を経由して情報提供サーバ１００からこの位置情報に対応した地図情報を問い合わせる機能を有する。さらにこの地図情報問合部２４は、このような地図情報とともに、情報提供サーバ１００から、この位置情報に対応した関連情報を問い合わせ取得する機能を有する。
【００５３】
表示制御部２３は、地図情報問合部２４によって問い合わせを行って取得された地図情報及び関連情報の少なくとも一方に基づく表示制御を行う機能を有する。この表示制御部２３によって表示された画面の一例としては、後述する地図情報及び周辺施設の周辺施設情報などを例示することができる。
【００５４】
情報提供サーバ１００を備える情報提供システム２００は以上のような構成であり、次に図１〜図３を用いて情報提供サーバ１００及び情報提供システム２００の動作例について説明する。図４は、情報取得表示処理の手順の一例を示すフローチャートである。なお、この情報取得表示処理は、表示端末１における処理手順の一例を表している。
【００５５】
まずステップＳ１では、表示端末１のリーダ制御部２１が、表示端末１に接続されたリーダ３がタグラベルＴから位置情報を読み取ったか否かを判断する。このリーダ制御部２１が位置情報を読み取っていない場合は、この情報取得表示処理を終了する。一方、このリーダ制御部２１が、リーダ３を用いて位置情報を読み取ることができた場合は、後述するステップＳ２が実行される。
【００５６】
このとき位置情報を読み込ませるタグラベルＴは１つに限られず、互いに異なる位置情報を記憶している複数のタグラベルＴを用意しておいて、これら複数のタグラベルＴをリーダ３によって読み込ませる形態であっても良い。
【００５７】
このステップＳ２では、地図情報問合部２４が、このように読み取られた位置情報に基づいて通信部２２を制御し、インターネット７を経由して情報提供サーバ１００に対し地図情報の提供を問い合わせる。なお、この情報提供サーバ１００における情報提供処理については後述する。
【００５８】
このときこのステップＳ２では、地図情報問合部２４が、この問い合わせ内容に、所望の地図情報に関するパラメータを指定することができる。ここで、このパラメータは、上記関連情報の種別を表す種別情報を備えている。このような種別情報としては、例えば施設名、駅名、住所、郵便番号、店のクーポン、営業時間、施設の種類（ジャンルなど）を挙げることができる。またさらにこの地図情報問合部２４は、この問い合わせ内容に、例えば所望の地図情報に関する各パラメータの組み合わせを指定しても良い。これら指定されるパラメータは、例えば、図示しない操作部を介したユーザからの入力に基づいても良いし、前回の指定を継続して用いることとしても良い。
【００５９】
ステップＳ３では、地図情報問合部２４が情報提供サーバ１００から地図情報を受け取ったか否かを判断する。地図情報問合部２４は、情報提供サーバ１００から地図情報を受け取っていない場合は、この情報取得表示処理を終了する。一方、この地図情報問合部２４は、情報提供サーバ１００から地図情報を受け取ることができた場合は、次のステップＳ４が実行される。
【００６０】
すなわちステップＳ４では、地図情報問合部２４が、この情報提供サーバ１００から地図情報のみならず合わせて関連情報を受け取ったか否かを判断する。地図情報問合部２４は、地図情報とともに関連情報を受け取っていない場合には、表示制御部２３にステップＳ５を実行させる。このステップＳ５では、表示制御部２３が地図情報を表示させる。
【００６１】
一方、地図情報問合部２４が地図情報とともに関連情報を取得した場合には、表示制御部２３にステップＳ６を実行させる。このステップＳ６では、表示制御部２３が、地図情報及び関連情報を合わせて表示させる。これらの地図情報などの表示例については後述する。
【００６２】
図５は、上述した情報提供サーバ１００における情報提供処理の手順の一例を示すフローチャートである。
まずステップＳ１１では、情報提供部１１が、インターネット７を経由して表示端末１から、地図情報の問い合わせがあったか否かを判断する。ここでいう問い合わせは、上述した表示端末１における位置情報を指定した問い合わせを表している。
【００６３】
情報提供部１１は、このような地図情報の問い合わせがない場合は、この情報提供処理を終了する。一方、情報提供部１１は、表示端末１から、このような位置情報を指定した地図情報の問い合わせがあった場合には、次のようなステップＳ１２を実行する。
【００６４】
このステップＳ１２では、情報提供部１１が、表示端末１からの位置情報を指定した問い合わせに応じて、この位置情報に該当する地図情報が存在しているか否かを判断する。
【００６５】
情報提供部１１は、地図情報テーブル１７に、この位置情報に該当する地図情報を有していない場合、この情報提供処理を終了する。一方、情報提供部１１が、この位置情報に該当する地図情報を地図情報テーブル１７に発見した場合、次のようなステップＳ１３を実行する。このステップＳ１３では、情報提供部１１が、この位置情報に基づき地図情報テーブル１７を検索し、この位置情報に該当する地図情報を取得する。
【００６６】
次にステップＳ１４では、情報提供部１１が、この関連情報テーブル１５に、この位置情報に該当する関連情報を管理しているか否かを判断する。この関連情報テーブル１５は、その地図情報に関する各パラメータの組み合わせに対応させて複数の関連情報を管理している（関連情報管理手段に相当）。このパラメータは、上記関連情報の種別を表す種別情報を備えている。このような種別情報としては、例えば施設名、駅名、住所、郵便番号、店のクーポン、営業時間、施設の種類（ジャンルなど）を挙げることができる。
【００６７】
情報提供部１１は、関連情報テーブル１５に、この位置情報に該当する関連情報を有していない場合、ステップＳ１６を実行する。このステップＳ１６では、情報提供部１１が、上述のように取得した地図情報をインターネット７を経由して表示端末１に対して提供する。
【００６８】
一方、情報提供部１１が、関連情報テーブル１５において、上述のような位置情報に該当する関連情報を発見した場合、ステップＳ１５を実行する。このステップＳ１５では、この位置情報に基づき関連情報テーブル１５を検索し、この位置情報に該当する関連情報を取得する。
【００６９】
このステップＳ１５では、情報提供部１１が、その関連情報テーブル１５から、それら複数の関連情報のうち指定された各パラメータの組み合わせに対応する関連情報を選択する。つまりこのパラメータの組み合わせとは、例えば施設名、駅名、住所、郵便番号、店のクーポン、営業時間、施設の種類（ジャンルなど）のいずれかの組み合わせを挙げることができる。
【００７０】
このとき、このステップＳ１５では、情報提供部１１が、関連情報テーブル１５から、その位置情報に基づく地点に関する複数の関連情報のうち、それら複数のタグラベルＴに各々配置された各無線タグ回路素子Ｔoから読み出された各パラメータの組み合わせに対応する関連情報のみを選択する（情報提供手段に相当）。つまりこの関連情報テーブル１５は、特定の種別の組み合わせに対応させた関連情報を提供することもできる。ここでいう特定の種別の組み合わせとは、例えばパラメータの組み合わせを表している。
【００７１】
次にステップＳ１７では、情報提供部１１が、このように取得した地図情報及び関連情報をインターネット７を介して表示端末１に提供する（情報提供手段に相当）。
【００７２】
図６は、表示端末１における表示例を表している。
この表示例では、表示画面においては、地図情報表示領域３１及び関連情報表示領域３２を備えている。このうち地図情報表示領域３１には、上述したタグラベルＴから読み出された位置情報を表す緯度及び経度が示す地点を中心とした地図情報が表示される。
【００７３】
一方、関連情報表示領域３２には、このような緯度及び経度に基づいてその周辺施設に関する情報を表示している一例を表している。この地図情報表示領域３１では、そのような緯度及び経度に対応した位置に○○駅が存在していることを表している。またこの地図情報によれば、この○○駅の周辺には、例えば病院、役所、ガソリンスタンド及びレストランが配置している。
【００７４】
一方、関連情報表示領域３２には、この○○駅の周辺施設に関する情報として、例えば「（１）○○市役所、（２）○○総合病院、（３）△△レストラン、（４）××ガソリンスタンド」と表示されている。
【００７５】
上記実施形態における情報提供システム２００においては、位置情報を記憶するＩＣ回路部と当該ＩＣ回路部に接続され情報の送受信を行うタグ側アンテナとを備える無線タグ回路素子Ｔoを配置したタグラベルＴと、そのタグ側アンテナを介して前記無線タグ回路素子ＴoのＩＣ回路部との間で無線通信により情報の送受信を行うアンテナを備え、その無線タグ回路素子ＴoのＩＣ回路部からその位置情報を読み取るリーダ３（情報読取装置に相当）と、そのリーダ３によって読み取られたその位置情報に基づく地点に関する地図情報とともに、その地点についての関連情報を提供する情報提供サーバ１００とを有する。
【００７６】
このようにすると、情報提供サーバ１００が各地点について有用な関連情報を用意しておけば、ユーザは、タグラベルＴを所持していれば自ら地図情報を有していなくても、次のようにして地図情報や有用な関連情報を参照することができる。すなわちユーザは、リーダ３に、タグラベルＴの無線タグ回路素子Ｔoから位置情報を読み取らせると、情報提供サーバ１００から、簡単に、その位置情報に基づく地点に関する地図情報のみならず、この地点に関する有用な関連情報も参照することができる。
【００７７】
上記実施形態における情報提供システム２００においては、上述した構成に加えてさらに、上記無線タグ回路素子Ｔoは、上記位置情報として緯度及び経度を記憶している。
【００７８】
このようにすると、ユーザは、リーダ３に、タグラベルＴの無線タグ回路素子Ｔoから位置情報として緯度及び経度を読み取らせるだけで、簡単に、それら緯度及び経度に基づく地点に関する地図情報を参照することができるばかりでなく、この地点に関する有用な関連情報も参照することができる。この位置情報は、地球上の一地点を決めることができる緯度経度情報であるため、異なる情報提供サーバ１００を利用しても同じタグラベルＴで同じ場所の地図を表示することができる。
【００７９】
上記実施形態における情報提供システム２００においては、上述した構成に加えてさらに、情報提供サーバ１００は、その地図情報に関する各パラメータの組み合わせに対応させて複数の関連情報を管理する関連情報テーブル１５（関連情報管理手段に相当）と、その関連情報テーブル１５から、それら複数の関連情報のうち指定された各パラメータの組み合わせに対応する関連情報を選択して提供する情報提供部１１（情報提供手段に相当）を備えている。
【００８０】
このようにするとユーザは、無線タグ回路素子Ｔoの位置情報に基づく地点についての複数の関連情報のうち、特定のパラメータの組み合わせに対応させた関連情報のみを参照することができる。このためユーザは、この地点についての不要な関連情報を参照する必要がなく、特定のパラメータの組み合わせに対応する関連情報のみを参照することができる。
【００８１】
上記実施形態における情報提供システム２００においては、上述した構成に加えてさらに、複数のタグラベルＴには、それぞれ、上記位置情報とともに上記地図情報に関する少なくとも１つのパラメータを記憶する無線タグ回路素子Ｔoが配置されており、情報提供部１１は、関連情報テーブル１５から、その位置情報に基づく地点に関する複数の関連情報のうち、それら複数のタグラベルＴに各々配置された無線タグ回路素子Ｔoから読み出された各パラメータの組み合わせに対応する関連情報のみを選択して提供する。
【００８２】
このようにすると、情報提供サーバ１００は、情報提供部１１が、関連情報テーブル１５から、複数のタグラベルＴの無線タグ回路素子Ｔoに各々記憶されている各パラメータの組み合わせに対応した特定の関連情報をユーザに対して提供することができる。このようにすると、ユーザは、不要な関連情報をわざわざ参照する必要がなく、この特定の関連情報を集中的に参照することができる。
【００８３】
上記実施形態における情報提供システム２００においては、上述した構成に加えて、さらに、上述したパラメータは、上記関連情報の種別を表す種別情報を備えている。
【００８４】
このようにすると、ユーザは、無線タグ回路素子Ｔoの位置情報に基づく地点についての複数の関連情報のうち、特定の種別情報の組み合わせに対応させた関連情報のみを参照することができる。
【００８５】
しかも、関連情報テーブル１５は、特定の種別の組み合わせに対応させた関連情報を提供することもできる。このためユーザは、この地点についての不要な関連情報を参照する必要がなく、特定の種別の情報の組み合わせに対応する関連情報のみを参照することができる。
【００８６】
上記実施形態における情報提供システム２００においては、上述した構成に加えて、さらに、上述したパラメータは、地図情報の表示形式を表す表示形式情報（地図、航空写真、地図と写真の混合、路線図、３Ｄ地図、海図、航空図など）を備え、前記情報提供サーバ１００は、指定された前記表示形式情報に基づいて前記地図情報を提供する。
【００８７】
これにより、各ユーザが必要に応じて見やすい表示形式を指定して表示することができる。
【００８８】
＜第２実施形態＞
図７は、第２実施形態における情報提供サーバ１００ａの構成例を示すブロック図である。
また、第２実施形態における情報提供システム２００ａは、第１実施形態における情報提供システム２００とほぼ同様の構成であり、ほぼ同様の動作を行う。このため第２実施形態では、同一の構成及び動作については第１実施形態における図１〜図６と同一の符号を用いるとともにその説明を省略し、以下の説明では異なる点を中心として説明する。
【００８９】
図７に示す情報提供サーバ１００ａは、第１実施形態における情報提供サーバ１００の構成に加えて経路探索部１４を備えている。この経路探索部１４は、情報提供部１１が、第１実施形態における表示端末１の代わりに存在する表示端末１ａから受け取った位置情報に基づいて経路の探索を行う機能を有する。この経路探索部１４は、経路探索要否フラグを管理しており、この経路探索要否フラグに応じて経路探索を行ったり行わない機能を有する。
【００９０】
なおこの表示端末１ａは、第１実施形態における表示端末１とは以下の点を除いてほぼ同様の構成である。第２実施形態では、表示端末１ａから受け取る２種類の位置情報としては目的地及び現在地に関する位置情報を含んでいる。
【００９１】
ここでいう目的地に関する位置情報は、上述した第１実施形態における位置情報とほぼ同様であり、第２実施形態ではこれに加えて表示端末の現在地に関する位置情報が含まれている。経路探索部１４は、このような目的地及び現在地に関する各々の位置情報に基づいて現在地から目的地までの経路計算を行う。
【００９２】
情報提供部１１は、第１実施形態と同様に目的地に関する位置情報に対応した地図情報及び関連情報とともに、この経路探索部１４による探索結果を表す誘導経路に関する情報をインターネット７を経由して表示端末１ａに対して提供する。
【００９３】
図８は、第２実施形態における表示端末１ａの機能構成例を示すブロック図である。なお、図８に示す表示端末１ａは、第１実施形態における図３に示す表示端末１とほぼ同様の構成及び動作を行うため、同様の構成及び動作については説明を省略し、以下では異なる点を中心として説明する。
【００９４】
第２実施形態における表示端末１ａは、第１実施形態における表示端末１ａの構成に加えて測位部２５が設けられている点が異なっている。この測位部２５は、表示端末１ａの現在地を測位する機能を有する。この測位部２５は、例えばいわゆるＧＰＳなどの衛星電波を受信し、この衛星電波に基づいて測位を行ってもよい。
【００９５】
この測位部２５は、このような測位結果に基づいて上述した現在地に関する位置情報を取得する。従って地図情報問合部２４は、第１実施形態と同様に目的地に関する位置情報及びこの現在地に関する位置情報を含めて、インターネット７を経由して情報提供サーバ１００ａに対し、地図情報及び関連情報などの問い合わせを行う機能を有する。
【００９６】
また、この地図情報問合部２４は、情報提供サーバ１００ａからの地図情報及び関連情報を、第１実施形態と同様に受け取るが、この地図情報には、上述した経路探索結果が含まれている。従って表示制御部２３は、第１実施形態のように地図情報及び関連情報を表示するとともに、この地図情報上に探索結果としての誘導経路を併せて表示している。
【００９７】
第２実施形態における情報提供システム２００の構成例は以上のようであり、次に図１〜図８を参照しつつこの情報提供システム２００ａの動作例について説明する。
【００９８】
図９は、表示端末１ａにおける情報取得表示処理の手順の一例を示すフローチャートである。なお、この図９に示す情報取得表示処理においては、第１実施形態における図４に示す情報取得表示処理とほぼ同様の手順であるため、同様の手順については説明を省略し、以下異なる点を中心として説明する。
【００９９】
第２実施形態では、第１実施形態におけるステップＳ１及びステップＳ２の間に、ステップＳ１ａ及びステップＳ１ｂが設けられている点が異なっている。なお第２実施形態では、地図情報問合部２４は、リーダ制御部２１によってリーダ３から読み出された位置情報を、上述した目的地に関する位置情報として取り扱っている。
【０１００】
まずステップＳ１ａでは、地図情報問合部２４が、経路探索要否フラグをオンに設定する。次にステップＳ１ｂでは、測位部２５が測位を行い、自己の（表示端末１ａの）現在地に関する位置情報を取得する。次にステップＳ２では、地図情報問合部２４が、位置情報として、上述した現在地に関する位置情報及び目的地に関する位置情報に基づいて情報提供サーバ１００ａに対して地図情報などの問い合わせを行う。
【０１０１】
ステップＳ３及びステップＳ４は、第１実施形態におけるステップＳ３及びステップＳ４とほぼ同様であるので説明を省略する。次にステップＳ５では、表示制御部２３が、地図情報問合部２４によって取得された地図情報に、併せて取得された誘導経路を重ねて表示する。一方、ステップＳ６では、表示制御部２３が、関連情報とともに表示している地図情報に、併せて取得された誘導経路を重ねて表示している。
【０１０２】
図１０は、情報提供サーバ１００ａにおける情報提供処理の手順の一例を示すフローチャートである。なお図１０に示す情報提供処理は、第１実施形態における図５に示す情報提供処理とほぼ同様の手順であるため、同様の手順については説明を省略し、以下の説明では異なる点を中心として説明する。
【０１０３】
第２実施形態においては、ステップＳ１３及びステップＳ１４の間に、ステップＳ１３ａ、ステップＳ１３ｂが設けられている。このステップＳ１３ａでは、情報提供部１１が、表示端末１ａからの問い合わせに含まれる経路探索要否フラグがオンであるか否かを判断する。情報提供部１１は、経路探索フラグがオンでない場合、上述したステップＳ１４以降を実行する。
【０１０４】
一方、情報提供部１１は、経路探索要否フラグがオンである場合、経路探索部１４に、経路探索処理を実行させる（ステップＳ１３ｂに相当）。この経路探索処理では、経路探索部１４が、表示端末１ａからの位置情報に含まれる目的地及び現在地に基づいて、現在地から目的地までの経路に関する計算を行う。
【０１０５】
次に情報提供部１１は、第１実施形態と同様にステップＳ１４及びステップＳ１５を実行する。そして、ステップＳ１６では、情報提供部１１が、経路探索部１４による探索結果としての誘導経路を地図情報とともに表示端末１ａに対して提供する。
【０１０６】
一方、ステップＳ１７では、情報提供部１１が、関連情報とともに提供する位置情報に、経路探索部１４による探索結果としての誘導経路を含めて或いは併せて表示端末１ａに対して提供する。
【０１０７】
図１１は、表示端末１ａにおける表示例を示す図である。図１１では、第１実施形態における図６に示す表示例に加えて、地図情報表示領域３１に、点線矢印で示される経路Ｋ（以下「誘導経路」とも呼んでいる）がさらに表示されている。
【０１０８】
またこの画面例では、関連情報表示領域３２に、その誘導経路Ｋに対する道案内として、出発地（上述した現在地に相当）△△レストランを設定した場合に、「（１）北方向に直進、（２）約２００ｍ先の１つ目の信号を左折、（３）約３００ｍ先の１つ目の信号を過ぎて右手に目的地○○総合病院着」との表示がされている。
【０１０９】
上述した実施形態においては、上述した構成に加えてさらに、情報提供サーバ１００ａは、リーダ３によって無線タグ回路素子Ｔoから読み出された第１位置情報と、この第１位置情報とは異なる位置を示す第２位置情報とに基づいて、これら第１位置情報と第２位置情報との２地点間のルート計算を行い、その計算結果であるルートを提供している。なお、ここでいう第２位置情報は、リーダ３の現在地を表す位置情報であってもよいし、又は、この無線タグ回路素子Ｔoが配置するあるタグラベルＴとは別のタグラベルＴに配置された無線タグ回路素子Ｔoから読み出した位置情報であってもよい。
【０１１０】
これにより、ユーザは、第１位置情報と第２位置情報との間の道順が分かって便利な情報を得ることができる。
【０１１１】
＜第３実施形態＞
図１２は、第３実施形態における情報提供システム２００ｂの構成例を示すシステム構成図である。
第３実施形態における情報提供システム２００ｂは、第２実施形態とほぼ同様の構成でありほぼ同様の動作を行う。このため第３実施形態では、同一の構成及び動作については図１〜図１１と同一の符号を用いるとともに、その説明を省略し以下の説明では異なる点を中心として説明する。
【０１１２】
第３実施形態における情報提供システム２００ｂでは、第２実施形態における情報提供システム２００ａに加えてさらに他の情報提供サーバ３００を備えている点が異なっている。他の情報提供サーバ３００は、異なる地図情報を提供することが可能であり、例えばある施設Ａの案内地図Ｗｅｂサービスを提供する。なお本実施形態では、この施設Ａとして病院を例示している。
【０１１３】
この場合、タグラベルＴには、位置情報（目的地に関する位置情報）として、この病院の所在を表す緯度及び経度が書き込まれている。また、このタグラベルＴには、このような施設名や施設内の部屋番号などの付属情報を書き込んでおいてもよい。具体的には、このタグラベルＴには、例えば施設Ａの経緯度、施設Ａの案内地図ＷｅｂサービスＵＲＬ、「エレベータ」を書き込むことができる。
【０１１４】
この他の情報提供サーバ３００は、施設Ａ側が、一般の地図情報とは別に、例えば施設内におけるマップ情報をＷｅｂサービスにおいて提供しているものである。つまり、この情報提供システム２００ｂでは、情報提供サーバ１００ａなどが提供する地図情報Ｗｅｂサービス及び、他の情報提供サーバ３００が提供する施設内マップ情報Ｗｅｂサービスを併用しており、例えば病院などの施設までの道案内に加え、この病院などの施設内における特定の場所への道案内を連携させて表示端末１ａなどに表示させることが可能となる。
【０１１５】
第３実施形態では、表示端末１ａなどが、情報提供サーバ１００ａなどのみならず他の情報提供サーバ３００に対し位置情報を指定した問い合わせを行う。すると、表示端末１ａは、情報提供サーバ１００ａなどから同様に地図情報及び誘導経路Ｋに関する情報を取得する一方、他の情報提供サーバ３００から、その位置情報に該当する施設Ａ内に関する詳細情報を取得する。
【０１１６】
図１３は、第３実施形態における表示端末１ａなどの表示例を表す図である。
この表示例においては、地図情報表示領域３１には、上述した地図情報に誘導経路が重ねて表示されており、併せて詳細情報表示領域３３に、上述した施設Ａ内における詳細な情報が表示されている。
【０１１７】
このようにすると、ユーザは、地図情報表示領域３１に表示された地図情報及び誘導経路Ｋによって出発地点（現在地に相当）から目的地までの経路を視認することができるとともに、同時に詳細情報表示領域３３に表示された施設Ａ内の詳細情報を参照することができる。この詳細情報表示領域３３内にも、上記同様の経路探索によって探索された経路に基づいて誘導経路Ｋが表示されている。
【０１１８】
第３実施形態においては、表示制御部２３が、図１３に示すように地図情報表示領域３１に広域の地図情報を表示すると同時に詳細情報表示領域３３に施設Ａ内の詳細情報を表示しているが、次のように表示しても良い。
【０１１９】
すなわち図１４及び図１５を用いて説明すると、表示端末１ａの表示制御部２３は、例えば図１４に示すように広域地図情報を表示する。具体的には、表示端末１ａなどは、少なくとも上記位置情報に基づく地点に関する地図情報を表示する地図情報表示領域３１（地図情報表示手段に相当）と、現在地からその位置情報に基づく地点（目的地に相当）までの地図情報をその地図情報表示領域３１に表示する。
【０１２０】
その後、表示制御部２３は、現在地がその位置情報に基づく地点に近接したことを契機として、図１５に示すように、その位置情報に基づく地点の周囲を拡大した詳細地図情報を地図情報表示領域３１に表示する。つまり表示制御部２３は、表示端末１ａの現在地が施設Ａ内の近傍に配置したことを契機として、その表示を２段階に切り替えている。
【０１２１】
上記実施形態における情報提供システム２００ｂにおいては、上述した構成に加えてさらに、少なくとも１台の情報提供サーバ１００ａは、少なくとも位置情報に基づく地点に関する地図情報を表示するための地図情報表示領域３１（第１表示手段に相当）と、その地図情報表示領域３１とは異なる形式の地図情報を表示するための詳細情報表示領域３３（第２表示手段に相当）とを提供する。上述した表示端末１ａは、情報提供サーバ１００ａによって提供された情報を表示するものであり、少なくとも１台の前記情報提供サーバから提供された情報に基づいて地図情報表示領域３１及び詳細情報表示領域３３を表示する。
【０１２２】
なお、上述した地図情報表示領域３１には、地図表示の他、例えば一般の地図を表示するようにしても良い。上述した詳細情報表示領域３３には、例えば建物内などの詳細情報表示の他、３Ｄ地図、海図、航空図など一般の地図とは異なる表示形式の地図を表示するようにしても良い。また、本実施形態では、このように情報提供サーバ１００ａが地図情報表示領域３１を提供し、他の情報提供サーバ３００が詳細情報表示領域３３を提供する形態の代わりに、１台の単一の情報提供サーバがまとめて提供する形態であっても良い。
【０１２３】
このようにすると、ユーザは、地図情報表示領域３１に表示された地図情報と、詳細情報表示領域３３に表示された詳細情報とを必要に応じて各々独立して参照することができる。表示端末１ａは、少なくとも１台の情報提供サーバ、例えば同じ情報提供サーバ１００，１００ａからだけでなく、異なる情報提供サーバ３００から提供された情報に基づいて、例えば広域地図情報のような地図情報表示領域３１（第１表示手段に相当）及び詳細情報表示領域３３（第２表示手段に相当）をともに表示可能となる。また表示端末１ａにおいては、タグラベルＴを作成した地図情報と異なる他の地図情報Ｗｅｂサービス（情報提供サーバに相当）でも、同様に地図情報を表示することができるようになる。
【０１２４】
上記実施形態における情報提供システム２００ｂにおいては、上述した構成に加えてさらに、表示端末１，１ａは、その第１表示手段の一例としての地図情報表示領域３１とその第２表示手段の一例としての詳細情報表示領域３３とを同時に表示する。
【０１２５】
これにより、表示端末１，１ａは、第１表示手段として広域地図と第２表示手段として施設内の詳細地図とを同時に表示することで、道案内の説明などを分かり易くすることができる。その他にも、第１表示手段として一方を広域地図などでのルート表示にし、第２表示手段としてもう一方を実際の建物が見える拡大航空写真や歩行者視点の３Ｄ地図の表示にすることで、これらを並べて表示して道案内をより分かり易くすることができる。
【０１２６】
上記実施形態における情報提供システム２００ｂにおいては、上述した構成に加えて、情報提供サーバ１００，１００ａが、表示端末１，１ａに、測位した移動体の現在地から位置情報に基づく地点までの地図情報表示領域３１を表示させた後、測位したその移動体の現在地がその位置情報に基づく地点に近接したことを契機として、その位置情報に基づく地点の周囲を拡大した地図情報表示領域３１に表示させている。
【０１２７】
このようにすると、ユーザは、自らの現在地が位置情報に基づく地点までの距離がある程度遠い場合には、その現在地からその地点までの地図情報を地図情報表示領域３１で確認することができる。しかも、ユーザは、自らの現在地がその地点に近接した場合には、その地点の周囲を拡大した詳細地図情報を地図情報表示領域３１で確認することができる。従ってユーザは、どこにいてもその地点までの経路を把握し到着することができる。
【０１２８】
なお、本発明は、上記各実施形態に限られるものではなく、その趣旨と技術的思想の範囲を逸脱しない範囲でさらに種々の変形が可能である。以下、そのような変形例を説明する。
【０１２９】
＜第４実施形態＞
図１６は、第４実施形態における情報提供システム２００ｃの構成例を示すシステム構成図である。
第４実施形態では、上記各実施形態における情報提供サーバ１００，１００ａ，１００ｂ、表示端末１，１ａ、リーダ３及びタグラベルＴの構成はほぼ同様であるが、操作端末６及びタグラベル作成装置４が設けられている点が異なっている。なお、以下の説明では、情報提供サーバ１００及び表示端末１を例示する。このタグラベル作成装置４は操作端末６に接続されており、この操作端末６はインターネット７に接続されている。
【０１３０】
このタグラベル作成装置４は、操作端末６の制御によって、タグラベルＴの無線タグ回路素子Ｔoに対して情報を書き込むことができる。第４実施形態では、このタグラベル作成装置４は、後述するように所望の位置情報を書き込むようになっている。
【０１３１】
操作端末６は、ディスプレイを有しており、上述のように地図情報Ｗｅｂサービスを提供する情報提供サーバ１００からインターネット７を経由して地図情報の提供を受け、そのディスプレイにこの地図情報を表示する。このときこの操作端末６は、この地図情報上においてユーザが指定した地点の緯度及び経度のような位置情報を取得し、タグラベル作成装置４に、この位置情報をタグラベルＴに書き込ませる。この操作端末６は、上述した表示端末１とほぼ同様な地図情報検索機能を有する。
【０１３２】
図１７は、図１６に示すタグラベル作成装置４の構成例を示す機能ブロック図である。
タグラベル作成装置４は、位置情報受取部４１及び情報書込部４３を有する。また、このタグラベル作成装置４は印刷部４５を有していても良い。
【０１３３】
位置情報受取部４１は位置情報受取手段に相当し、表示させた地図情報上において指定された所望の地点に関する位置情報を受け取る機能を有する。
【０１３４】
情報書込部４３は情報書込手段に相当し、タグラベルＴにおける無線タグ回路素子ＴoのＩＣ回路部との間で、装置側アンテナを介して無線通信により情報の送受信を行い、位置情報受取部４１（位置情報受取手段に相当）によって受け取られた位置情報を書き込む機能を有する。印刷部４５は印刷手段に相当し、タグラベルＴに、その位置情報に関する情報を印刷する。
【０１３５】
図１８は、タグラベルＴに、位置情報に関する情報が印刷された態様の一例を示す図である。
タグラベルＴには、このような位置情報に関する情報として「位置情報ラベル」が印刷されている。この位置情報ラベルが表す情報は、例えば施設名として「○○市役所」が表され、住所として「△△県○○市」が表され、緯度経度として（３１．ｘｘｘｘ，１３５．ｙｙｙｙ）が表されている。
【０１３６】
このようにすると、タグラベルＴの無線タグ回路素子ＴoのＩＣ回路部に記憶されている位置情報の内容の概要を視覚的に確認することができ、複数種類のタグラベルＴが存在しても互いに区別して用いることができる。
【０１３７】
図１９は、操作端末６がタグラベル作成装置４において実行させるラベル作成処理の手順の一例を示すフローチャートである。
まずステップＳ２１では、操作端末６が、所望の位置情報に基づいてインターネット７を介して情報提供サーバ１００に対して地図情報の検索を実行する。
【０１３８】
この情報提供サーバ１００では、第１実施形態と同様に位置情報に基づいて地図情報テーブル１７から対応する地図情報を検索し、操作端末６に対してこの地図情報を提供する。
【０１３９】
次にステップＳ２２では、操作端末６が、上述した地図情報Ｗｅｂサービス機能を有する情報提供サーバ１００から地図情報を取得する。次にステップＳ２３では、位置情報受取部４１が、取得した地図情報から、タグラベルＴ（位置情報ラベルに相当）を作成すべき場所を選択されたか否かを判断する。
【０１４０】
位置情報受取部４１は、その場所が指定されていない場合は指定されるまで待ち、その場所が指定された場合には印刷部４５に印刷を実行させるべきか否かを判断する（ステップＳ２４）。位置情報受取部４１は、印刷を実行すべきでない場合にはこのラベル作成処理を終了する一方、印刷を実行すべき場合には印刷部４５にステップＳ２５を実行させる。
【０１４１】
このステップＳ２５では、印刷部４５が、選択された場所に基づいて、例えば場所名や住所などから印字データを作成する。次にステップＳ２６では、印刷部４５が、タグラベルＴの無線タグ回路素子ＴoのＩＣ回路部に書き込むべき位置情報を設定する。ここでいう位置情報とは、例えば緯度及び経度を表している。
【０１４２】
このステップＳ２６では、この印刷部４５が、併せて、上述した所望の地図情報に関するパラメータを書き込むようにしても良い。このパラメータは、上記関連情報の種別を表す種別情報を備えている。このような種別情報としては、例えば施設名、駅名、住所、郵便番号、店のクーポン、営業時間、施設の種類（ジャンルなど）を挙げることができる。
【０１４３】
次にステップＳ２７では、タグラベルＴが作成される。ここで、このタグラベルＴの作成には、情報書込処理及び印刷処理の２つの処理がなされる。まず、情報書込処理では、情報書込部４３が、これら緯度情報及び経度情報を含む位置情報を、上記無線タグ回路素子ＴoのＩＣ回路部に書き込む。一方、印刷処理では、印刷部４５が、上述した印刷データに基づいて、図１８に示すような位置情報ラベルをタグラベルＴの一平面に印刷する。
【０１４４】
図２０は、位置情報ラベルの作成画面の一例を示す画面例である。なお、ここでいう位置情報ラベルとは、上述したタグラベルＴに位置情報が印刷されたものを表している。
【０１４５】
この画面例では、地図情報表示領域３１の地図情報に場所指定部３５が重ねて表示されている。場所指定部３５は、表示された施設などのマークを選択（クリック）することで、その箇所に表示されるウィンドウである。またこの場所指定部３５は、その上部に、指定した場所の名称（上述した場所名に相当）が表示されており、その下部に、ラベル作成ボタン３５ａが表示されている。またこのとき、地図情報表示領域３１には、地図情報と写真とが重ねて表示されている態様でも良い。
【０１４６】
このラベル作成ボタン３５ａは、ユーザによって押される（クリックされる）ことによって、この場所（図示の例では「○○市役所」）について位置情報ラベルを作成すべきことを表している。このラベル作成ボタン３５ａを押すことにより、上述したステップＳ２４において印刷を実行すべきことを表している。
【０１４７】
また、図２０では、検索ボタン３４がユーザによって押される（クリックされる）ことによって、直接入力される施設（図示の例では「○○市役所」）を検索することもできる。
【０１４８】
上記実施形態におけるタグラベル作成装置４は、表示させた地図情報上において選択された所望の地点に関する位置情報を受け取る位置情報受取部４１（位置情報受取手段に相当）と、位置情報を記憶するＩＣ回路部と当該ＩＣ回路部に接続され情報の送受信を行うタグ側アンテナとを備えた無線タグ回路素子Ｔoを配置したタグラベルＴにおける前記無線タグ回路素子ＴoのＩＣ回路部との間で、装置側アンテナを介して無線通信により情報の送受信を行い、前記位置情報受取部４１によって受け取られた位置情報を書き込む情報書込部４３（情報書込手段に相当）とを有する。
【０１４９】
このようにすると、ユーザは、タグラベル作成装置４を用いて、位置情報をＩＣ回路部に記憶させた無線タグ回路素子Ｔoを配置したタグラベルＴを容易に作成できるため、このように作成したタグラベルＴを気軽に配布することができる。しかも情報提供サーバ１００に、この位置情報に基づく地点に関する有用な関連情報を用意しておけば、ユーザは、この作成したタグラベルＴを受け取った他のユーザに対して、簡単な操作を経て、この有用な関連情報を参照させることができる。
【０１５０】
上記実施形態におけるタグラベル作成装置４においては、上述した構成に加えてさらに、そのタグラベルＴに、その位置情報に関する情報を印刷する印刷部４５（印刷手段に相当）を有する。
【０１５１】
このようにすると、ユーザは、所持しているタグラベルＴに記憶されている位置情報を視覚的に認識することができ、特に複数のタグラベルＴを所持している場合にこれらを整理しやすくなる。
【０１５２】
また、以上既に述べた以外にも、上記実施形態や各変形例による手法を適宜組み合わせて利用してもよい。
【０１５３】
上記実施形態におけるタグラベル作成装置４の各構成は、次のようなタグリーダライタ装置に適用することもできる。このタグリーダライタ装置は、表示させた地図情報上において選択された所望の地点に関する位置情報を受け取る位置情報受取部４１（位置情報受取手段に相当）と、位置情報を記憶するＩＣ回路部と当該ＩＣ回路部に接続され情報の送受信を行うタグ側アンテナとを備えた無線タグ回路素子Ｔoを配置したタグラベルＴにおけるその無線タグ回路素子ＴoのＩＣ回路部との間で、装置側アンテナを介して無線通信により情報の送受信を行い、位置情報受取部４１によって受け取られた位置情報を書き込む情報書込部４３（情報書込手段に相当）とを有する。
【０１５４】
これにより、ユーザは、このタグリーダライタ装置を用いて、位置情報をＩＣ回路部に記憶させた無線タグ回路素子Ｔoを配置したタグラベルＴを容易に作成できるため、このように作成したタグラベルＴを気軽に配布することができる。またこの場合、例えば表示面への情報印刷はできないが、すでに持っているタグラベルＴに記憶されている位置情報を書き換えることで、タグラベルＴを再利用することもできる。
【０１５５】
その他、一々例示はしないが、本発明は、その趣旨を逸脱しない範囲内において、種々の変更は加えられて実施されるものである。
【図面の簡単な説明】
【０１５６】
【図１】第１実施形態における情報提供システムの構成例を示すシステム構成図である。
【図２】図１に示す情報提供サーバの構成例を示すブロック図である。
【図３】図１に示す表示端末の構成例を示すブロック図である。
【図４】表示端末における情報取得表示処理の手順の一例を示すフローチャートである。
【図５】情報提供サーバにおける情報提供処理の手順例を示すフローチャートである。
【図６】表示端末における表示例を表す図である。
【図７】第２実施形態における情報提供サーバの構成例を示すブロック図である。
【図８】第２実施形態における表示端末の構成例を示すブロック図である。
【図９】表示端末における情報取得表示処理の手順の一例を示すフローチャートである。
【図１０】情報提供サーバにおける情報提供処理の手順の一例を示すフローチャートである。
【図１１】表示端末における表示例を示す図である。
【図１２】第３実施形態における情報提供システムの構成例を示すシステム構成図である。
【図１３】表示端末における表示例を示す図である。
【図１４】表示端末における表示例を示す図である。
【図１５】表示端末における表示例を示す図である。
【図１６】第４実施形態における情報提供システムの構成例を示すシステム構成図である。
【図１７】図１６に示すタグラベル作成装置の構成例を示す機能ブロック図である。
【図１８】タグラベルに、位置情報に関する情報が印刷された態様の一例を示す図である。
【図１９】操作端末がタグラベル作成装置において実行させるラベル作成処理の手順の一例を示すフローチャートである。
【図２０】位置情報ラベルの作成画面の一例を示す画面例である。
【符号の説明】
【０１５７】
１００            情報提供サーバ
１００ａ          情報提供サーバ
３００            他の情報提供サーバ
２００            情報提供システム
２００ａ          情報提供システム
２００ｂ          情報提供システム
１                表示端末
１ａ              表示端末
３                リーダ（情報読取装置）
Ｔ                タグラベル
３１              地図情報表示領域（第１表示手段）
３２              関連情報表示領域（第２表示手段）
１１              情報提供部（情報提供手段）
１５              関連情報テーブル（関連情報管理手段）
１７              地図情報テーブル
１４              経路探索部（経路探索手段）
【図１】
0005035532.tif 000002
【図２】
0005035532.tif 000003
【図３】
0005035532.tif 000004
【図４】
0005035532.tif 000005
【図５】
0005035532.tif 000006
【図６】
0005035532.tif 000007
【図７】
0005035532.tif 000008
【図８】
0005035532.tif 000009
【図９】
0005035532.tif 000010
【図１０】
0005035532.tif 000011
【図１１】
0005035532.tif 000012
【図１２】
0005035532.tif 000013
【図１３】
0005035532.tif 000014
【図１４】
0005035532.tif 000015
【図１５】
0005035532.tif 000016
【図１６】
0005035532.tif 000017
【図１７】
0005035532.tif 000018
【図１８】
0005035532.tif 000019
【図１９】
0005035532.tif 000020
【図２０】
0005035532.tif 000021